(57)【要約】【課題】  座体が撓み易い合成樹脂等により形成されていても、それを圧縮したりすることなく、肘掛けを強固に取付けうるようにする。【解決手段】  座本体を構成する座シェル１２に、座受けブラケット２７の上面に開口する取付孔３４を設けるとともに、肘掛け２６の下端に、取付孔３４に挿通され、下端が座受けブラケット２７の上面と当接する固定軸３５を突設し、該固定軸３５の下端に形成された上方を向くめねじ孔３６に、座受けブラケット２７の下方より挿入したボルト３７を螺合することにより、肘掛け２６を座本体を構成する座シェル１２の上面に立設する。【選択図】  図５
2005230246.tif 000002
【特許請求の範囲】
【請求項１】
支持体上に座受けブラケットを介して取付けられた座本体に、肘掛けを取付ける取付構造において、前記座本体に、前記座受けブラケットの上面に開口する取付孔を設けるとともに、前記肘掛けの下端に、前記取付孔に挿通され、下端が座受けブラケットの上面と当接する固定軸を突設し、該固定軸の下端に形成された上方を向くめねじ孔に、前記座受けブラケットの下方より挿入したボルトを螺合することにより、前記肘掛けを座本体の上面に立設したことを特徴とする座に対する肘掛けの取付構造。
【請求項２】
肘掛けを、前後の下端に固定軸が突設された側面視ほぼ下向きコ字状とした請求項１記載の座に対する肘掛けの取付構造。
【請求項３】
固定軸を、肘掛け本体の下端よりも小径とし、肘掛け本体の幅広の下端を座本体の上面に当接させて、固定軸を座受けブラケットに固定してなる請求項１または２記載の座に対する肘掛けの取付構造。
【請求項４】
めねじ孔を固定軸より肘掛け本体内に突入するように延出し、このめねじ孔に、ボルトの上端部を肘掛け本体内まで螺合した請求項１〜３のいずれかに記載の座に対する肘掛けの取付構造。
【発明の詳細な説明】
【技術分野】
【０００１】
本発明は、例えば駅のプラットホーム等に設置されるベンチの座本体に肘掛けを取付ける取付構造に関する。
【背景技術】
【０００２】
駅のプラットホーム等に設置されるベンチとしては、左右に間隔を設けて配設した複数の脚体の上部に、左右方向を向く前後１対の支持杆を横架し、この支持杆上に、ブラケット（支持金具）を介して複数個の座板を取付けたものがある（例えば特許文献１、２参照）。
【特許文献１】実公平５−２５４９５号公報
【特許文献２】特開２００３−１３５２１２号公報
【発明の開示】
【発明が解決しようとする課題】
【０００３】
上記特許文献に記載されているベンチにおいて、座板に肘掛けを取付けようとすると、次のような問題が生じることがある。
すなわち、特許文献１の座板は、中空状の合成樹脂により形成されているため、座板の両側部上面に肘掛けの下端を固定する際に、座板の下面より挿入したねじの上端部を、肘掛けの下端部に形成しためねじ孔に螺合して固定しようとすると、ねじの締付け時に座板が上下方向より圧縮され、肘掛けの取付面が下方に撓む恐れがある。
【０００４】
そのため、ねじの締付け量及び締付力をあまり大きくすることはできず、肘掛けの取付強度が小さくなる。
【０００５】
上記特許文献２の座板においても、上面にクッション体が装着されているため、その上面に肘掛けの下端を、座板の下方より挿入したねじにより固定しようとすると、クッション体が大きく圧縮させられて見栄えが悪くなるため、ねじの締付け量が制限され、肘掛けの取付強度が小さくなる。
【０００６】
本発明は、上記問題点に鑑みてなされたもので、座本体が撓み易い合成樹脂等により形成されていても、それを圧縮したりすることなく、肘掛けを強固に取付けることができるようにした、座に対する肘掛けの取付構造を提供することを目的としている。
【課題を解決するための手段】
【０００７】
本発明によると、上記課題は、次のようにして解決される。
（１）支持体上に座受けブラケットを介して取付けられた座本体に、肘掛けを取付ける取付構造において、前記座本体に、前記座受けブラケットの上面に開口する取付孔を設けるとともに、前記肘掛けの下端に、前記取付孔に挿通され、下端が座受けブラケットの上面と当接する固定軸を突設し、該固定軸の下端に形成された上方を向くめねじ孔に、前記座受けブラケットの下方より挿入したボルトを螺合することにより、前記肘掛けを座本体の上面に立設する。
【０００８】
（２）上記(１)項において、肘掛けを、前後の下端に固定軸が突設された側面視ほぼ下向きコ字状とする。
【０００９】
（３）上記(１)または(２)項において、固定軸を、肘掛け本体の下端よりも小径とし、肘掛け本体の幅広の下端を座本体の上面に当接させて、固定軸を座受けブラケットに固定する。
【００１０】
（４）上記(１)〜(３)項において、めねじ孔を固定軸より肘掛け本体内に突入するように延出し、このめねじ孔に、ボルトの上端部を肘掛け本体内まで螺合する。
【発明の効果】
【００１１】
請求項１記載の発明によれば、肘掛けの下端に突設した固定軸の下端は、座本体の取付孔を貫通して座受けブラケットの上面に当接しているので、座受けブラケットの下方よりボルトにより強く締付けても、座本体に圧縮力が加わることはない。
従って、座本体を例えばクッション性を有する合成樹脂等により形成しても、それを圧縮して凹ませることなく、肘掛けを強固に取付けることができる。
【００１２】
請求項２記載の発明によれば、肘掛けの前後の下端が強固に固定されるので、その座本体に対する取付け強度はより高くなり、側方にぐら付いたりすることがなくなる。
【００１３】
請求項３記載の発明によれば、座本体に形成した取付孔が肘掛け本体の下端により覆われるので、見栄えが向上する。
【００１４】
請求項４記載の発明によれば、ボルトのめねじ孔への螺合深さが肘掛け本体の内部まで達しているので、ボルトの締付力を大として、肘掛けの取付強度をさらに高めることができる。
【発明を実施するための最良の形態】
【００１５】
以下、本発明の実施形態を、図面に基づいて説明する。
図１は、本発明を適用したベンチの斜視図、図２は同じく側面図で、駅のプラットホーム等の床面(１)に立設された、支持体の一部をなす左右１対の短寸の支柱(２)(２)に取付けられている。
【００１６】
両支柱(２)は、角筒状をなし、その前後左右（以下、図２の左方を前として説明する）の４面には、凹溝(３)が、上下方向に向かって形成されている。
(４)は、支柱(２)の上端の開口に嵌着されたキャップである。
【００１７】
左右の支柱(２)の前面の凹溝(３)には、中央部が開口された側面視ほぼ三角形をなす座支持ブラケット(５)(５)が、その基端の上下方向を向く取付基板(5a)を凹溝(３)内に嵌合して、上下の端部を左右２個ずつのボルト(６)をもって固着することにより、前端部上面が支柱(２)の上端とほぼ等高をなすように、やや前上方に向かって傾斜させて固定されている。
なお、上記支柱(２)と座支持ブラケット(５)により、後記する座本体(10a)の支持体を構成している。
【００１８】
(5b)は、左右両側方に突出する補強リブである。
【００１９】
左右の座支持ブラケット(５)の前端部上面に形成された凹入部(７)には、左右方向を向き、かつ両端が閉塞された前後２本の金属製パイプよりなる支持フレーム(８)(８)の両端部が、ブラケット(５)の前端部下方より挿入したボルト（図示略）により固定されている。
【００２０】
支持フレーム(８)には、その左右寸法とほぼ等しい座本体(10a)と、背凭れ本体(10b)と、側面視ほぼ前向Ｌ字状の左右１対のアルミニウム合金等よりなる側部フレーム(11)(11)とが取付けられている。座本体(10a)は、側部フレーム(11)の前後方向を向く座支持部(11a)の対向面に両端が固定された、シェル部材としての座シェル(12)と、同じく、側部フレーム(11)のやや後傾する背凭れ支持部(11b)の対向面に両端が固定された、シェル部材としての背凭れシェル(13)とからなっている。
【００２１】
上記側部フレーム(11)における座支持部(11a)の中央部下面には、下面に、前後の支持フレーム(８)における両端部の上半部に上方より嵌合する上向き半円状の保持溝(14)(14)を有する受け部材(15)が固着され、その下方の固定部材(16)の上面に形成された下向き半円状の保持溝(17)(17)を、前後の支持フレーム(８)の下半部に嵌合し、固定部材(16)の下方より挿入したボルト(18)の上端部を、受け部材(15)の中央部のめねじ孔（図示略）に螺合することにより、左右の側部フレーム(11)は、前後の支持フレーム(８)の両端部に固定されている。
【００２２】
上記座シェル(12)及び背凭れシェル(13)は、若干のクッション性を有する硬質合成樹脂又はアルミニウム合金等の軽合金により形成され、図３の断面図に示すように、断面形状の等しい２個のシェル単体(19)を、座シェル(12)は、前後対称をなすように互いの対向端を当接又は近接させて前後に並べ、背凭れシェル(13)については、上下対称をなすように、互いの対向端を当接又は近接させて上下に並べて形成されている。
【００２３】
このような形態とすると、１種類のシェル単体(19)のみを成形すればよいので、金型の製造コストや製造工程が削減されるので、大幅なコスト低減が可能となる。
【００２４】
座シェル(12)及び背凭れシェル(13)を構成している各シェル単体(19)の内部には、長手方向を向くとともに、左右両端が開口する複数の異形断面の中空孔(20)が形成され、軽量化と樹脂素材の節約を図っている。
【００２５】
座シェル(12)と背凭れシェル(13)の左右両端は、図４に示すように、左右の側部フレーム(11)の対向面に形成された凹部(21)に嵌合して保持され、かつ座支持部(11a)の下面と背凭れ支持部(11b)の後部より挿入した複数のねじ(22)により固定されている。
【００２６】
座シェル(12)と背凭れシェル(13)との各シェル単体(19)の方形断面をなす中空孔(20)には、金属パイプよりなる補強芯材(23)が、全長に亘って挿嵌され、それらの左右両端部の中空孔内には、図４に示すように（全て同一構造であるため、座シェル側の右端部のみ図示する）、めねじ管(24)が圧嵌又は溶接より固着されている。
【００２７】
背凭れシェル(13)における上部のシェル単体(19)には、その下端部の中空孔(20)にも、１本の補強芯材(23)が挿嵌され、下部のシェル単体(19)との境界部が後方に位置ずれするのを防止している。
なお、補強芯材(23)は角管でもよく、この際には、中空孔(20)の内面に図示のような凸条を形成すれば、角管を抵抗なく挿入することができる。
【００２８】
上記めねじ管(24)に、側部フレーム(11)の側面より挿入したボルト(25)を螺合することにより、各補強芯材(23)の両端は、側部フレーム(11)に強固に固定されている。
【００２９】
座シェル(12)の上面には、側面視下向コ字状をなす複数（２個）の肘掛け(26)が、次のようにして取付けられている。
図５に示すように、座シェル(12)における肘掛け(26)取付部の下面には、正面視下向コ字状をなす座受けブラケット(27)の上片(27a)が、その下方より座シェル(12)内のめねじ孔に螺合した複数のねじ(28)により固定されている。
【００３０】
座受けブラケット(27)は、その両側片(27b)の後方寄りの下流に形成された上向半円状の前後の凹溝(29)を、前後の支持フレーム(８)の上半部に嵌合したのち、両支持フレーム(８)の下面に当接させた正面視ほぼ下向コ字状をなす固定金具(30)の上片(30a)の中央部に下方より挿入したボルト(31)を、座受けブラケット(27)の両側片(27b)の下部対向面に固着された固定板(32)の上面の溶接ナット(33)に向かって螺合することにより、前後の支持フレーム(８)に固定されている。
【００３１】
肘掛け(26)の前後の下端には、座シェル(12)の前後の端部に穿設された上下方向を向く取付孔(34)に嵌合され、下端が上記座掛けブラケット(27)の上片(27a)の上面と当接する固定軸(35)が一体的に下向きに穿設されている。
【００３２】
上記前後の固定軸(35)に形成された、肘掛け本体に至る長さのめねじ孔(36)に向かって、座受けブラケット(27)の上片(27a)の下方より挿入した長寸のボルト(37)を螺合することにより、肘掛け(26)は、固定軸(35)よりも幅広をなす肘掛け本体の下端を座シェル(12)の上面に当接させた状態で、座受けブラケット(27)に固定されている。
【００３３】
このような取付形態とすると、ボルト(37)を締付けた際に、固定軸(35)の下端が座受けブラケット(27)の上片(27a)に強く当接するのみで、座シェル(12)には、それを圧縮する押圧力が直接加わらないため、若干クッション性のある合成樹脂製の座シェル(12)であっても、肘掛け(26)の取付部が圧縮されて凹んだりすることがなくなる。従って、ボルト(37)の締付力を大として、肘掛け(26)を強固に取付けることができる。
【００３４】
なお、上記肘掛け(26)の形状は、側面視下向きコ字状とは限らず、例えば側面視Ｔ字状として、その下端を上述と同様の手段により、座受けブラケット(27)の上面に固定することもある。
【００３５】
本発明は、背凭れシェル(13)のない、座シェル(12)のみのベンチにも適用しうることは勿論のこと、公共施設の待合室等に設置される長椅子にも適用することができる。
【００３６】
支持体を構成している支柱(２)と座支持ブラケット(５)の代わりに、床面より脚体を起立させ、これにより支持フレーム(８)の下部を支持するようにしてもよい。
【００３７】
座シェル(12)及び背凭れシェル(13)は、２個のシェル単体(19)により形成されているが、それらを１個のシェルにより形成してもよく、また座シェル(12)と背凭れシェル(13)とを一体的に形成することもできる。
【図面の簡単な説明】
【００３８】
【図１】本発明を適用したベンチの斜視図である。
【図２】同じく側面図である。
【図３】図１のIII−III線拡大縦断側面図である。
【図４】図３のIＶ−IＶ線拡大縦断正面図である。
【図５】肘掛け取付部の一部切欠き縦断側面図である。
【符号の説明】
【００３９】
(１)床面
(２)支柱（支持体）
(３)凹溝
(４)キャップ
(５)座支持ブラケット（支持体）
(5a)取付基板
(5b)補強リブ
(６)ボルト
(７)凹入部
(８)支持フレーム
(10a)座本体
(10b)背凭れ本体
(11)側部フレーム
(11a)座支持部
(11b)背凭れ支持部
(12)座シェル
(13)背凭れシェル
(14)保持溝
(15)受け部材
(16)固定部材
(17)保持溝
(18)ボルト
(19)シェル単体
(20)中空孔
(21)凹部
(22)ねじ
(23)補強芯材
(24)めねじ管
(25)ボルト
(26)肘掛け
(27)座受けブラケット
(27a)上片
(27b)側片
(28)ねじ
(29)凹溝
(30)固定金具
(30a)上片
(31)ボルト
(32)固定板
(33)溶接ナット
(34)取付孔
(35)固定軸
(36)めねじ孔
(37)ボルト
【図１】
2005230246.tif 000003
【図２】
2005230246.tif 000004
【図３】
2005230246.tif 000005
【図４】
2005230246.tif 000006
【図５】
2005230246.tif 000007